(57)【要約】【課題】雷サージ、開閉サージ、電磁パルスなどのサージ侵入干渉を防止する、表示装置及びカウンターを有する計数表示型保護プラグ受けを提供する。【解決手段】計数表示型保護プラグ受け４０は、接地線、中性線、活線、前接続ポート４４、後接続ポート４５、電源サージ保護ユニット、計数電源ユニット及び計数表示ユニットを備える。前接続ポート４４は、接地線、中性線及び活線と電気的に接続される。後接続ポート４５は、接地線、中性線及び活線と電気的に接続される。電源サージ保護ユニットは、接地線、中性線及び活線と電気的に接続されるとともに、サージを抑制する複数のサージ吸収器を有する。計数電源ユニットは、電源サージ保護ユニットと電気的に接続されて交流電流を受けるとともに、交流電流を直流電流へ変換するブリッジ整流器を有する。【選択図】図３
0003197145.tif 000002
【実用新案登録請求の範囲】
【請求項１】
接地線、中性線、活線、前接続ポート、後接続ポート、電源サージ保護ユニット、計数電源ユニット及び計数表示ユニットを備えた計数表示型保護プラグ受けであって、
前記前接続ポートは、前記接地線、前記中性線及び前記活線と電気的に接続され、
前記後接続ポートは、前記接地線、前記中性線及び前記活線と電気的に接続され、
前記電源サージ保護ユニットは、前記接地線、前記中性線及び前記活線と電気的に接続されるとともに、サージを抑制する複数のサージ吸収器を有し、
前記計数電源ユニットは、前記電源サージ保護ユニットと電気的に接続されて交流電流を受けるとともに、交流電流を直流電流へ変換するブリッジ整流器を有し、
前記計数表示ユニットは、前記計数電源ユニットと電気的に接続されて直流電流を受ける中央処理装置と、前記電源サージ保護ユニットと電気的に接続されてサージ信号を抽出するとともに、前記中央処理装置と電気的に接続されてサージ信号を提供するサージ抽出回路と、前記中央処理装置と電気的に接続され、前記中央処理装置によりサージ信号の発生回数の累計値を得て表示する表示装置と、を含むことを特徴とする計数表示型保護プラグ受け。
【請求項２】
前記電源サージ保護ユニットは、
前記活線に直列接続された過電流保護器と、
前記中性線に直列接続された第１のインダクタと、
前記活線に直列接続された第２のインダクタと、
前記活線及び前記中性線と接続された第１のコンデンサと、
前記活線及び前記中性線と接続された第２のコンデンサと、を有することを特徴とする請求項１に記載の計数表示型保護プラグ受け。
【請求項３】
前記複数のサージ吸収器は、
前記中性線及び前記接地線と接続された第１のサージ吸収器と、
前記活線及び前記接地線と接続された第２のサージ吸収器と、
前記活線及び前記中性線と接続された第３のサージ吸収器と、
前記活線及び前記中性線と接続された第４のサージ吸収器と、
前記活線及び前記中性線と接続された第５のサージ吸収器と、を有することを特徴とする請求項１に記載の計数表示型保護プラグ受け。
【請求項４】
前記計数電源ユニットは、前記活線及び前記中性線とそれぞれ並列接続されたブリッジ整流器と、
前記活線と直列接続されたヒューズと、
前記ブリッジ整流器と並列接続された１次コイル及び２次コイルを含む電源高周波変圧器と、
前記ブリッジ整流器と前記１次コイルとの間の線路に接続された電源チップと、
前記２次コイルと直列接続された第２のダイオードと、
前記電源高周波変圧器と並列接続された第３のコンデンサと、
前記２次コイルと接続された第４のコンデンサと、
前記２次コイルと並列接続された第５のコンデンサと、
前記２次コイルと接続された第１の抵抗器と、
前記２次コイル及び前記電源チップとそれぞれ電気的に接続され、帰還回路を形成する電荷結合チップと、を含み、
前記電荷結合チップと前記２次コイルとの間の線路には、電圧安定ダイオード及び第２の抵抗器がそれぞれ接続されていることを特徴とする請求項１に記載の計数表示型保護プラグ受け。
【請求項５】
前記計数表示ユニットは、
前記中央処理装置と電気的に接続されるとともに、第１の抵抗器及び第１の発光ダイオードと電気的に接続される駆動表示回路と、
前記活線及び前記中性線とそれぞれ並列接続されるとともに、前記中央処理装置と電気的に接続され、第１のコンデンサを含む電圧調節器と、
前記サージ抽出回路と電気的に接続されるとともに、電気的に接続された第２の抵抗器及び第２の発光ダイオードを含むトリガ信号表示回路と、
互いに電気的に接続された可変抵抗器、第１のツェナーダイオード、タイマー、第２のコンデンサ、第３の抵抗器及び第３のコンデンサを含むサージ抽出回路と、
前記中央処理装置と電気的に接続され、互いに電気的に接続されたＲＡＭ、第１のトランジスタ、第４の抵抗器、第５の抵抗器及び第６の抵抗器を含み、前記ＲＡＭに計数値を記憶する計数値記憶回路と、
前記中央処理装置と電気的に接続されるとともに、互いに電気的に接続された押ボタン、第４のコンデンサ、第７のコンデンサを含む計数値ゼロリセット回路と、を含むことを特徴とする請求項１に記載の計数表示型保護プラグ受け。
【請求項６】
前蓋板と、前記前蓋板を覆う後蓋板と、前記前蓋板及び前記後蓋板中に収容される複数のキャリアプレートとを備える計数表示型保護プラグ受けであって、
前記キャリアプレート上には、前記電源サージ保護ユニット、前記計数電源ユニット及び前記計数表示ユニットが配設され、前記計数表示ユニットの前記第１の発光ダイオードが前記前蓋板上に嵌設され、前記計数表示ユニットの前記第２の発光ダイオードが前記前蓋板上に嵌設され、前記計数表示ユニットの前記可変抵抗器は、前記前蓋板上に嵌設され、前記計数表示ユニットの前記押ボタンが前記前蓋板上に嵌設され、前記計数表示ユニットの前記表示装置が前記前蓋板上に嵌設され、前記前接続ポートは前記キャリアプレート上に配設されるとともに、前記前蓋板に嵌設され、前記後接続ポートは、前記キャリアプレート上に配設され、前記後蓋板に嵌設されることを特徴とする請求項１又は５に記載の計数表示型保護プラグ受け。
【考案の詳細な説明】
【技術分野】
【０００１】
本考案は、雷サージ、開閉サージ、電磁パルスなどのサージ侵入干渉を防止する技術に関し、特に、表示装置及びカウンターを有する計数表示型保護プラグ受けに関する。
【背景技術】
【０００２】
現在の電子製品は日増しに複雑になってきており、例えば、外部から雷サージ、電磁パルスなどが送配電線路から進入し、電子製品を損壊させたり、高周波パルス幅を変調させたり、整流素子を切替え、スイッチング素子の速やかな切替えにより、電圧／電流が速やかに変化して電磁干渉が発生することがあった。
【０００３】
サージ干渉の環境下で装置の正常な動作を確保するために、従来の電気製品の回路では、サージ保護素子が電気製品をサージから保護するために用いられるが、これらサージ保護装置自身は能動的にサージを検出する能力が十分でなかったため、サージから受動的に保護された状態だけに留まり、サージ保護装置の焼損前に、保護機能が本当に発揮されているか否かを知ることは困難であった。
【考案の概要】
【考案が解決しようとする課題】
【０００４】
本考案の主な目的は、電流が過大であるときに、過電流保護器が電源を切断し、人員及び設備の安全を確保し、発光ダイオードがトリガ信号を受信すると発光して中央処理装置が動作中であることを知らせ、発光ダイオードがトリガ信号を受信すると発光して電源サージ保護回路がサージ状態にあることを知らせ、過電流保護器が動作中であるか、接地線、中性線及び活線に供給される電源が失われた場合、発光ダイオードは発光せず、計数表示型保護プラグ受けの使用状態を容易に判別することができる、計数表示型保護プラグ受けを提供することにある。
【図面の簡単な説明】
【０００５】
【図１】本考案の一実施形態に係る計数表示型保護プラグ受けを示す斜視図（１）である。
【図２】本考案の一実施形態に係る計数表示型保護プラグ受けを示す斜視図（２）である。
【図３】本考案の一実施形態に係る計数表示型保護プラグ受けを示す斜視図（３）である。
【図４】本考案の一実施形態に係る計数表示型保護プラグ受けを示すブロック図である。
【図５】本考案の一実施形態に係る計数表示型保護プラグ受けの電源サージ保護ユニットを示す回路図である。
【図６】本考案の一実施形態に係る計数表示型保護プラグ受けのカウンター電源ユニットを示す回路図である。
【図７−１】本考案の一実施形態に係る計数表示型保護プラグ受けのカウンター表示ユニットを示す部分回路図（１）である。
【図７−２】本考案の一実施形態に係る計数表示型保護プラグ受けのカウンター表示ユニットを示す部分回路図（２）である。
【図７−３】本考案の一実施形態に係る計数表示型保護プラグ受けのカウンター表示ユニットを示す部分回路図（３）である。
【考案を実施するための形態】
【０００６】
以下、本考案の実施形態について図に基づいて説明する。なお、これによって本考案が限定されるものではない。
【０００７】
図１〜図３を参照する。図１〜図３に示すように、本考案の一実施形態に係る計数表示型保護プラグ受け４０は、前蓋板４１と、前蓋板４１により覆われる後蓋板４２と、前蓋板４１及び後蓋板４２中に収容されて前蓋板４１及び後蓋板４２により保護される複数のキャリアプレート４３とを含む。また、キャリアプレート４３上に設置されて前蓋板４１に嵌設された複数の前接続ポート４４と、キャリアプレート４３上に設置されて後蓋板４２に嵌設された複数の後接続ポート４５とをさらに含む。本実施形態のキャリアプレート４３の底層板４３１と、中層板４３２と、頂層板４３３とを用いて素子を設置し、後接続ポート４５が底層板４３１上に取り付けられ、前接続ポート４４が頂層板４３３上に取り付けられ、キャリアプレート４３に取り付けられるが、前出していない素子については、その素子が出てきたときに併せて説明する。
【０００８】
図４を参照する。図４に示すように、本考案の一実施形態に係る計数表示型保護プラグ受けの素子間は、接地線Ｇ、中性線Ｎ及び活線Ｌを介して電気的に接続され、上述した前接続ポート４４及び後接続ポート４５が接地線Ｇ、中性線Ｎ及び活線Ｌとそれぞれ電気的に接続され、後接続ポート４５を介して交流電流（商用電源とも称する）が接地線Ｇ、中性線Ｎ及び活線Ｌに供給され、前接続ポート４４に挿入された電源プラグへ交流電流が供給され、動作に必要な電源が各素子に供給される。本実施形態では、Ａ型電源プラグが挿入されるが、この電源プラグはＡ型だけに限定されるわけではなく、Ｂ型、Ｃ型、Ｄ型、Ｇ型、Ｈ型、Ｉ型、Ｊ型、Ｋ型、Ｌ型、Ｍ型などでもよく、電源プラグの規格に応じて前接続ポート４４を変更してもよい。
【０００９】
本実施形態の電源サージ保護ユニット１０（図４を参照）は、接地線Ｇ、中性線Ｎ及び活線Ｌを介してそれぞれ前接続ポート４４及び後接続ポート４５と接続される。計数電源ユニット２０及び計数表示ユニット３０も中性線Ｎ及び活線Ｌとそれぞれ接続される。以下では、電源サージ保護ユニット１０、計数電源ユニット２０及び計数表示ユニット３０について詳しく説明する。
【００１０】
図５を参照する。図５に示すように、電源サージ保護ユニット１０は、キャリアプレート４３の底層板４３１上に設置され、接地線Ｇ、中性線Ｎ及び活線Ｌとそれぞれ電気的に接続される。電源サージ保護ユニット１０は、過電流保護器Ｆ１、サージ吸収器Ｍ１〜Ｍ１０及びコンデンサＣ１，Ｃ２と電気的に接続されて構成され、各部材については以下で詳細に説明する。
【００１１】
過電流保護器Ｆ１は、活線Ｌに直列接続され、電流が過大になると電源を切断して人員及び設備の安全を確保する。本実施形態では、リセッタブル過電流保護器Ｆ１が採用されている。
【００１２】
第１のインダクタＬ１は、中性線Ｎに直列接続され、第２のインダクタＬ２は、活線Ｌに直列接続されている。インダクタＬ１，Ｌ２は、中性線Ｎ及び活線Ｌを提供し、高周波フィルタを行う。サージ吸収器Ｍ１，Ｍ２の両端には、中性線Ｎ及び接地線Ｇがそれぞれ接続され、第２のサージ吸収器Ｍ３，Ｍ４の両端には、活線Ｌ及び接地線Ｇがそれぞれ接続され、第３のサージ吸収器Ｍ５，Ｍ６の両端には、活線Ｌ及び中性線Ｎがそれぞれ接続され、第４のサージ吸収器Ｍ７，Ｍ８の両端には、活線Ｌ及び中性線Ｎがそれぞれ接続され、第５のサージ吸収器Ｍ９，Ｍ１０の両端には、活線Ｌ及び中性線Ｎがそれぞれ接続されている。
【００１３】
サージ吸収器Ｍ１〜Ｍ１０は、回路中で広く応用されている電圧依存性抵抗器（Ｖｏｌｔａｇｅ  Ｄｅｐｅｎｄｅｎｔ  Ｒｅｓｉｓｔｏｒ：ＶＤＲ）であり、電源からの突発的なサージ電圧により回路がダメージを受けることを防ぐために用いる。本実施形態では、金属酸化物バリスタ（Ｍｅｔａｌ  Ｏｘｉｄｅ  Ｖａｒｉｓｔｏｒ：ＭＯＶ）が採用され、低電圧のときの抵抗率は高く、高電圧のときの抵抗率は低い特性により回路を保護する。
【００１４】
本実施形態では、前述の５組のサージ吸収器Ｍ１〜Ｍ１０の組み合わせにより、サージエネルギの吸収率を高め、電磁パルスの衝撃を抑える能力を高める。これにより電子製品に、ＬＦＳ（Ｌｉｇｈｔｉｎｇ  Ｆｌａｓｈ  Ｓｕｒｇｅ）、ＰＳＳ（Ｐｏｗｅｒ  Ｓｗｉｔｃｈｉｎｇ  Ｓｕｒｇｅ）、ＥＭＰ（Ｅｌｅｃｔｒｏｍａｇｎｅｔｉｃ  Ｐｕｌｓｅ）などのサージが発生することを防ぐ。
【００１５】
また、コンデンサＣ１，Ｃ２の両端には、活線Ｌ及び中性線Ｎが接続され、高周波フィルタ処理を行い火花の発生を防ぐ。
【００１６】
図６を参照する。図６に示すように、計数電源ユニット２０は、電源サージ保護ユニット１０と電気的に接続され、キャリアプレート４３の中層板４３２上に設置される。計数電源ユニット２０には、パワーインテグレーション社（Ｐｏｗｅｒ  Ｉｎｔｅｇｒａｔｉｏｎｓ，Ｉｎｃ．）の製品が使用され、その規格は入力範囲が８５〜２６５ＶＡＣ、出力ＤＣ、５Ｖ／３００ｍＡであり、各素子については以下で詳説する。
【００１７】
ヒューズＳ１は、活線Ｌ上に直列接続され、過電流から保護する。
【００１８】
ブリッジ整流器ＢＲ１は、活線Ｌ及び中性線Ｎとそれぞれ並列接続され、交流電流を直流電流へ変換する。
【００１９】
続いて、電源高周波変圧器Ｔ１の１次コイルＴ１１とブリッジ整流器ＢＲ１とを並列接続し、直流電流を受ける。
【００２０】
電源チップ（Ｉｎｔｅｇｒａｔｅｄ  Ｃｉｒｃｕｉｔ：ＩＣ）Ｕ１は、ブリッジ整流器ＢＲ１と、電源高周波変圧器Ｔ１の１次コイルＴ１１との間の線路と電気的に接続されている。
【００２１】
電荷結合チップ（Ｉｎｔｅｇｒａｔｅｄ  Ｃｉｒｃｕｉｔ：ＩＣ）Ｕ２は、電源高周波変圧器Ｔ１の２次コイルＴ１２と、電源チップＵ１と電気的に接続されて帰還回路が形成されている。電荷結合チップＵ２と２次コイルＴ１２との間の線路は、電圧安定ダイオードＺＤ１及び第２の抵抗器Ｒ２と接続され、電圧安定ダイオードＺＤ１、第２の抵抗器Ｒ２及び電荷結合チップＵ２のＬＥＤの降圧が出力する直流電圧を決定する。
【００２２】
電源高周波変圧器Ｔ１は、第３のコンデンサＣ３と並列接続され、電磁干渉（Ｅｌｅｃｔｒｏ  Ｍａｇｎｅｔｉｃ  Ｉｎｔｅｒｆｅｒｅｎｃｅ：ＥＭＩ）を消去し、２次コイルＴ１２は、第１の抵抗器Ｒ１及び第４のコンデンサＣ４と電気的に接続され、サージを吸収する。
【００２３】
第２のダイオードＤ２と２次コイルＴ１２とを直列接続して整流を行い、第５のコンデンサＣ５と２次コイルＴ１２とを並列接続してフィルタし、２次コイルＴ１２から直流電流を出力する。
【００２４】
計数電源ユニット２０の作動原理について以下説明する。２次コイルＴ１２の出力電圧が高すぎる場合、電荷結合チップＵ２のＬＥＤ電流が上昇し、電源チップＵ１の帰還電流もそれに伴って上昇し、電源チップＵ１により振動周期がオフする。２次コイルＴ１２から出力される電圧が低すぎる場合、電荷結合チップＵ２のＬＥＤ電流が低下し、それに伴って電源チップＵ１の帰還電流も低下し、電源チップＵ１により振動周期がオンする。前述の動作により、一定の直流電流が出力される。
【００２５】
計数表示ユニット３０（図７−１、図７−２及び図７−３を参照する）は、電源サージ保護ユニット１０及び計数電源ユニット２０と電気的に接続され、キャリアプレート４３の頂層板４３３上に配設されている。計数表示ユニット３０は、中央処理装置（Ｃｅｎｔｒａｌ  Ｐｒｏｃｅｓｓｉｎｇ  Ｕｎｉｔ：ＣＰＵ）Ｕ１３と、駆動表示回路３１と、電源回路３２と、トリガ信号表示回路３３と、サージ抽出回路３４と、計数値記憶回路３５と、計数値ゼロリセット回路３６と、表示装置ＬＣＤ１３とが電気的に接続されて構成されてなる。サージ抽出回路３４は、配線がキャリアプレート４３の中層板４３２上に形成されている。各素子については以下詳説する。
【００２６】
駆動表示回路３１（図７−１参照）は、第１の抵抗器Ｒ１３及び中央処理装置Ｕ１３と、第１の発光ダイオードＬＥＤ１３と電気的に接続されて形成され、第１の抵抗器Ｒ１３を偏圧のために用いる。第１の発光ダイオードＬＥＤ１３は、トリガ信号を受信すると発光し、中央処理装置Ｕ１３が作動中であることを知らせる。本実施形態では、中央処理装置Ｕ１３が作動中であるか否かを利用者が容易に判別できるように、第１の発光ダイオードＬＥＤ１３（図１及び図３を参照する）が前蓋板４１に嵌設されている。
【００２７】
電圧調節器Ｕ４３（図７−２参照）は、中性線Ｎ、活線Ｌ及び中央処理装置Ｕ１３と電気的に接続され、低ドロップアウトレギュレータ（Ｌｏｗ  Ｄｒｏｐｏｕｔ  Ｒｅｇｕｌａｔｏｒ：ＬＤＯ）を採用し、第１のコンデンサＣ１３と電気的に接続され、電源回路３２を構成し、中央処理装置Ｕ１３の電圧を３．３Ｖに制限し、第１のコンデンサＣ１３を用いて過渡応答（ｔｒａｎｓｉｅｎｔ  ｒｅｓｐｏｎｓｅ）及び安定性能を改善する。
【００２８】
トリガ信号表示回路３３（図７−３参照）は、第２の抵抗器Ｒ２３と第２の発光ダイオードＬＥＤ２３とから構成されてなる。第２の抵抗器Ｒ２３とサージ抽出回路３４とが電気的に接続されて偏圧に用い、第２の発光ダイオードＬＥＤ２３は、トリガ信号を受信すると発光し、電源サージ保護ユニット１０にサージが発生していることを知らせる。本実施形態は、サージが発生しているか否かを利用者が判別し易いように、前蓋板４１に第２の発光ダイオードＬＥＤ２３（図１及び図３を同時に参照する）が嵌設されてもよい。
【００２９】
サージ抽出回路３４（図７−３参照）は、活線Ｌ及び中央処理装置Ｕ１３と電気的に接続されるとともに、可変抵抗器ＶＲ１３（Ｖａｒｉａｂｌｅ  Ｒｅｓｉｓｔｏｒ：ＶＲ）、第１のツェナーダイオード（Ｚｅｎｅｒ  Ｄｉｏｄｅ）ＺＤ１３、タイマーＵ２３、第２のコンデンサＣ２３、第３の抵抗器Ｒ３３及び第３のコンデンサＣ３３と電気的に接続されて構成されてなる。タイマーＵ２３は、トリガ信号表示回路３３と電気的に接続されている。タイマーＵ２３はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）でもよい。可変抵抗器ＶＲ１３は、カップリング電圧レベルを調整し、感度を調整するために用いる。第１のツェナーダイオードＺＤ１３は、最大カップリング電圧を制限するために用い、第２のコンデンサＣ２３、第３の抵抗器Ｒ３３、第３のコンデンサＣ３３を構成してトリガ回路を構成する。第３の抵抗器Ｒ３３及び第３のコンデンサＣ３３は、ディレイ時間を調整するために用いる。本実施形態は、利用者が容易に異なる領域の電圧に対応してトリガ感度を調整し、可変抵抗器ＶＲ１３（図１及び図３を同時に参照する）を前蓋板４１上に嵌設してもよい。
【００３０】
計数値記憶回路３５（図７−１参照）は、中央処理装置Ｕ１３と電気的に接続されるとともに、ランダムアクセスメモリＵ３３、第１のトランジスタＱ１３、第４の抵抗器Ｒ４３、第５の抵抗器Ｒ５３及び第６の抵抗器Ｒ６３と電気的に接続されて構成されてなる。第１のトランジスタＱ１３、第４の抵抗器Ｒ４３を用いてランダムアクセスメモリ（Ｒａｎｄｏｍ  Ａｃｃｅｓｓ  Ｍｅｍｏｒｙ；ＲＡＭ）Ｕ３３の電源を制御する。第５の抵抗器Ｒ５３及び第６の抵抗器Ｒ６３は、信号電圧上昇抵抗器である。ランダムアクセスメモリＵ３３は、ＦＲＡＭ（登録商標）、ＲＯＭ及びＲＡＭが採用され、高速書き込み、高耐久性、低消費電力及び改竄防止の長所を有する。
【００３１】
計数値ゼロリセット回路３６（図７−１を参照する）は、中央処理装置Ｕ１３と電気的に接続され、押ボタンＳＷ１３、第４のコンデンサＣ４３、第７の抵抗器Ｒ７３が電気的に接続されて構成され、第４のコンデンサＣ４３はノイズを除去し、第７の抵抗器Ｒ７３は電圧上昇をゼロリセットする抵抗器であり、押ボタンＳＷ１３（図１及び図３を同時に参照する）が前蓋板４１に嵌設されてもよい。
【００３２】
表示装置ＬＣＤ１３（図７−１を参照する）は、中央処理装置Ｕ１３と電気的に接続され、４桁の７セグメント表示装置（ｓｅｖｅｎ−ｓｅｇｍｅｎｔ  ｄｉｓｐｌａｙ）が採用されてもよい。本実施形態は、サージ信号の発生回数を利用者が容易に記録して観察することができるように、表示装置ＬＣＤ１３（図１及び図３を同時に参照する）が前蓋板４１に嵌設されてもよい。
【００３３】
次に計数表示ユニット３０の動作原理について説明する。電源サージ保護ユニット１０にサージ信号が発生すると、サージ抽出回路３４がサージ信号を抽出し、時間を延長し、且つトリガ信号表示回路３３の第２の発光ダイオードＬＥＤ２３が点灯し、中央処理装置Ｕ１３は、サージ信号の発生回数の累計後、表示装置ＬＣＤ１３で表示し、計数値記憶回路３５のランダムアクセスメモリＵ３３内に計数値が記憶される。
【００３４】
新たに送電を行う場合、中央処理装置Ｕ１３は、ランダムアクセスメモリＵ３３内のサージ信号を累計して読み取った後、表示装置ＬＣＤ１３に表示し、計数初期値として用いる。計数値を新たに記録する場合、計数値ゼロリセット回路３６の押ボタンＳＷ１３を押圧し、ゼロリセットを行う。
【００３５】
中央処理装置Ｕ１３（図７−１を参照する）は、第１のインタフェースＣＯＮ１３に接続され、中央処理装置Ｕ１３に必要なプログラムをダウンロードし、通信用の第２のインタフェースＣＯＮ２３が接続される。
【００３６】
前述の素子は以下（１）〜（８）の効果を有する。
（１）電流が過大になると、過電流保護器Ｆ１は電源を切断し、人員及び設備の安全を確保する。
（２）第１の発光ダイオードＬＥＤ１３がトリガ信号を受けると発光し、中央処理装置Ｕ１３が作動していることを知らせる。第２の発光ダイオードＬＥＤ２３がトリガ信号を受けると発光し、電源サージ保護ユニット１０にサージが発生していることを知らせる。
（３）過電流保護器Ｆ１が動作するか、接地線Ｇ、中性線Ｎ及び活線Ｌに入力される電源が失われると、発光ダイオードＬＥＤ１３，２３は発光せず、計数表示型保護プラグ受け４０の使用状態を容易に判別することができる。
（４）活線Ｌ−中性線Ｎ、活線Ｌ−接地線Ｇ及び中性線Ｎ−接地線Ｇは、サージ吸収器Ｍ１〜Ｍ１０を介して構成される電源サージ保護ユニット１０を保護し、雷サージ、開閉サージ及び電磁パルスの干渉を抑える。
（５）表示装置ＬＣＤ１３は、中央処理装置Ｕ１３がサージ信号の発生回数を累積した計数値を表示するため、サージの侵入の有無を容易に観察して記録し、その記録及び観察に基づき、サージを効果的に防止することができる。
（６）ランダムアクセスメモリＵ３３がメモリ機能を有するため、電源が失われても動作が可能で、電気が復旧した後もデータを保持し続けることができる。
（７）押ボタンＳＷ１３を押圧してゼロリセットし、計数値を新たに記録することができ、利用者の必要に応じて操作することができる。
（８）サージ抽出回路３４の可変抵抗器ＶＲ１３は、異なる領域の電圧に応じてトリガの感度を調節することができる。
【００３７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３８】
Ｇ    接地線
Ｎ    中性線
Ｌ    活線
１０  電源サージ保護ユニット
Ｆ１  過電流保護器
Ｌ１  第１のインダクタ
Ｌ２  第２のインダクタ
Ｍ１  第１のサージ吸収器
Ｍ２  第１のサージ吸収器
Ｍ３  第２のサージ吸収器
Ｍ４  第２のサージ吸収器
Ｍ５  第３のサージ吸収器
Ｍ６  第３のサージ吸収器
Ｍ７  第４のサージ吸収器
Ｍ８  第４のサージ吸収器
Ｍ９  第５のサージ吸収器
Ｍ１０  第５のサージ吸収器
Ｃ１  第１のコンデンサ
Ｃ２  第２のコンデンサ
２０  計数電源ユニット
Ｓ１  ヒューズ
ＢＲ１  ブリッジ整流器
Ｔ１  電源高周波変圧器
Ｔ１１  １次コイル
Ｔ１２  ２次コイル
Ｕ１  電源チップ
Ｕ２  電荷結合チップ
Ｒ１  第１の抵抗器
Ｒ２  第２の抵抗器
Ｃ３  第３のコンデンサ
Ｃ４  第４のコンデンサ
Ｃ５  第５のコンデンサ
Ｄ２  第２のダイオード
ＺＤ１  電圧安定ダイオード
３０  計数表示ユニット
３１  駆動表示回路
３２  電源回路
３３  トリガ信号表示回路
３４  サージ抽出回路
３５  計数値記憶回路
３６  計数値ゼロリセット回路
Ｕ１３  中央処理装置
Ｕ２３  タイマー
Ｕ３３  ランダムアクセスメモリ
Ｕ４３  電圧調節器
Ｒ１３  第１の抵抗器
Ｒ２３  第２の抵抗器
Ｒ３３  第３の抵抗器
Ｒ４３  第４の抵抗器
Ｒ５３  第５の抵抗器
Ｒ６３  第６の抵抗器
Ｒ７３  第７の抵抗器
Ｃ１３  第１のコンデンサ
Ｃ２３  第２のコンデンサ
Ｃ３３  第３のコンデンサ
Ｃ４３  第４のコンデンサ
ＺＤ１３  第１のツェナーダイオード
ＬＥＤ１３  第１の発光ダイオード
ＬＥＤ２３  第２の発光ダイオード
ＶＲ１３  可変抵抗器
Ｑ１３  第１のトランジスタ
ＳＷ１３  押ボタン
ＬＣＤ１３  表示装置
ＣＯＮ１３  第１のインタフェース
ＣＯＮ２３  第２のインタフェース
４０  計数表示型保護プラグ受け
４１  前蓋板
４２  後蓋板
４３  キャリアプレート
４３１  底層板
４３２  中層板
４３３  頂層板
４４  前接続ポート
４５  後接続ポート
【図１】
0003197145.tif 000003
【図２】
0003197145.tif 000004
【図３】
0003197145.tif 000005
【図４】
0003197145.tif 000006
【図５】
0003197145.tif 000007
【図６】
0003197145.tif 000008
【図７−１】
0003197145.tif 000009
【図７−２】
0003197145.tif 000010
【図７−３】
0003197145.tif 000011